(57)【要約】      （修正有）【解決手段】映像補償機能付き光ファイバーは、複数の光ファイバーを同じ方向に配列して結合して構成される光学部材であり、光学部材は、出力端面と、入力端面と、側隣接面とから構成され、出力端面は、これらの光ファイバーの一端の断面を集結して構成され、上記断面は、正円形または正多辺形をそれぞれ呈し、入力端面はこれらの光ファイバーの他端の断面を集結して構成され、上記断面は、非正円形または非正多辺形を呈し、側隣接面とこれらの光ファイバーとは同じ方向に伸びる。【効果】上記の構成により、ユーザは正面または側面から見ても、画面に表示する映像は予定の明るさを維持可能である。【選択図】図１
2019139136.tif 000002
【特許請求の範囲】
【請求項１】
複数の光ファイバーを同じ方向に配列して結合される光学部材を備え、これらの前記光ファイバーは、それぞれコアと、皮とから構成され、前記コアの屈折率は１.５５〜１.９１であり、前記皮の屈折率は１.３９〜１.５３であり、これらの前記光ファイバーの出光開口角度は１１.５°より大きく、前記光学部材の断面は、出力端面と、入力端面と、側隣接面と、から構成され、
前記出力端面は、これらの前記光ファイバーの一端の断面を集結して形成され、前記断面の形状は、それぞれ正円形または正多辺形を呈し、前記出力端面の断面は外力を受けないため、断面の密度は同じであり、
前記入力端面は、これらの前記光ファイバーの他端の断面を集結して形成され、前記断面の形状は、前記出力端面のこれらの前記光ファイバーの断面の形状に対応し、前記入力端面は、外力を受けるため、その断面の密度が前記側隣接面へ連続的に減少し、そして斜めに切られることにより、断面の形状は非正円形または非正多辺形を呈し、前記入力端面を構成するこれらの前記光ファイバーのベベル断面角は、前記側隣接面へ連続的に減少し、上記角度は、１°〜６５°であり、３°〜５５°であることが好ましく、
前記側隣接面は、これらの前記光ファイバーと同じ方向に伸び、前記側隣接面と前記入力端面との成す角は鈍角であり、前記側隣接面と前記出力端面との成す角は第１鋭角であり、前記入力端面と前記出力端面との成す角は第２鋭角であり、前記第１鋭角は、５°〜８５°であり、８°〜７５°であることが好ましく、前記第２鋭角は、１°〜５０°であり、３°〜３５°であることが好ましいことを特徴とする映像補償機能付き光ファイバー。
【請求項２】
二つの前記光学部材は、二つの表示装置の結び箇所に対称に設けられており、何れかの一つの前記光学部材は、三角ロッドに近似する形状に切られ、前記出力端面と、前記入力端面と、前記側隣接面と、上記三つの面に当接する二つの当接面とから構成され、前記側隣接面の前記入力端面に近づくエッジには、フレームを受け可能な当接段が設けられていることを特徴とする、請求項１に記載の映像補償機能付き光ファイバー。
【請求項３】
前記光ファイバーが外力を受けた後、異なる形態を有する、第１光ファイバーと、第２光ファイバーとが形成され、前記第１光ファイバーと前記第２光ファイバーとは、出光端部と、入光端部と、をそれぞれ有し、複数の前記出光端部は前記出力端面を構成し、複数の前記入光端部は前記入力端面を構成し、前記入力端面を構成するこれらの前記光ファイバーの断面は、前記側隣接面に近づくほど、その面積が連続的に減少し、前記第１光ファイバーの前記出光端部と前記入光端部との径方向の断面比は、前記第２光ファイバーの前記出光端部と前記入光端部との径方向の断面比と同じ、又はより大きく、前記第１光ファイバーの径方向の断面比の最小値は１に近接することを特徴とする、請求項１に記載の映像補償機能付き光ファイバー。
【発明の詳細な説明】
【技術分野】
【０００１】
本発明は、光ファイバーに関し、特に、出力端面が、光ファイバーの軸方向に垂直するように切断されて構成され、複数の光ファイバーの断面が正円形または正多辺形を呈し、入力端面が、光ファイバーの軸方向に傾斜するように切断されて構成され、複数の光ファイバーの断面が非正円形または非正多辺形を呈することにより、正面または側面から見ても映像の明るさが一定である映像補償機能付き光ファイバーに関するものである。
【背景技術】
【０００２】
図１３及び図１４は、従来の光ファイバーの作製方式と第１の実施形態の具体的な適用を示す図である。まず、図１３に示すように、複数の光ファイバー５０１に圧力を加えて圧縮した後、図１４に示すように、これを切ることにより、三角ロッド形状を呈する光学部材５０が形成される。光学部材５０は、出力端面５１と、入力端面５２と、側隣接面５３と、を有する。側隣接面５３と入力端面５２とが押さえられるため、入力端面５２が圧縮された後、内部のこれらの光ファイバー５０１の開口の断面が縮小する。入力端面５２は、光ファイバー５０１の軸方向に垂直するように切断されるため、その断面は密度が異なる円形または多辺形を呈する。出力端面５１は、光ファイバー５０１の軸方向に傾斜するように切断されるため、これらの光ファイバー５０１の開口の断面が斜めに切られた断面を呈する。
【０００３】
図１５は、三角ロッド形状に切られる前の光学部材５０を示す拡大図である。光学部材５０の側隣接面５３は押さえられる。出力端面５１は、斜めに切られて光学部材５０の三角形の最も長い辺が形成される。出力端面５１を構成するこれらの光ファイバー５０１の断面は、斜めに切られて形成される。入力端面５２は、光ファイバー５０１の軸方向に垂直するように切られて形成される。
【０００４】
図１６は光ファイバー５０１の構造を示す図である。光ファイバー５０１の出光端は斜めに切られた断面であるため、光線は、出光端から射出した後、屈折して斜めに切られた端口に進むため、Ｆ点の光線はより明るく、Ｇ点の光線がより暗い。
【０００５】
図１７を参照する。互いに接合する二つの表示装置６０の表面の上で、これらの光学部材５０を左右に対称するように設ける。これらの光学部材５０の上端の結合する箇所は、これらの表示装置６０の接合する箇所の真上に位置する。これらの表示装置６０からの映像は、これらの光学部材５０の屈折により、断層の発生を回避可能である。ユーザが図１７におけるＨ点から見る場合には、これらの表示装置６０からの映像の明るさが保持され、映像が良く表示されるが、Ｉ点から見る場合には、Ｈ点の正面から見る場合に比べると、これらの表示装置６０の接合する箇所がより暗く、映像が良く表示されない。
【０００６】
図１８及び図１９は、別の従来の光学部材７０の実施形態を示す図である。光学部材７０は、複数の表示装置８０の接合する箇所に設けられている。光学部材７０の両側には、互いに平行し直線を呈する端辺７１がそれぞれ設けられている。換言すると、前記側辺には、光ファイバーによる光線のガイドを有しないため、ユーザがＫ点から見る場合には、映像を見ることができない。
【０００７】
図２０は、複数の第１光ファイバー７０１と複数の第２光ファイバー７０２とから構成される光学部材７０を示す断面図である。光学部材７０の的中段部には、これらの第１光ファイバー７０１を支持し、これらの第１光ファイバー７０１に貼り付ける樹脂支持構造７２が設けられている。これらの第１光ファイバー７０１の形状は、樹脂支持構造７２の表面の形状に近似する。これらの第２光ファイバー７０２は樹脂支持構造７２から離れた。ユーザがＪ点から見る場合には、端辺７１のうちの一つの影響により、映像を見ることはできない。
【０００８】
図２１は第１光ファイバー７０１を示す断面図である。第１光ファイバー７０１の上部の開口の径方向長さＤ１は、第１光ファイバー７０１の底部の開口の径方向長さＤ２より長い。図２２は第２光ファイバー７０２の上部の開口の径方向長さが底部の開口の径方向長さと同じであることを示す図である。これにより、表示装置８０に屈折された映像は、これらの第１光ファイバー７０１を通過しているときに拡大され、これらの第２光ファイバー７０２を通過しているときに変化しない。
【０００９】
図１８におけるこれらの端辺７１により、映像の表示が影響されるという問題を解決するために、あるメーカは、図２３に示す四辺形を呈する光学部材９０を提案した。光学部材９０は、本来の端辺を直接に斜めに切って斜辺９１を形成することにより、映像を表示できない問題を解決したが、斜辺９１を構成する複数の光ファイバー９２は、図２４に示すように、光ファイバー９２の斜断面に光線の屈折が発生して、ユーザがＮ点（又はＬ点）から見る場合には、映像の明るさが良いが、Ｏ点（又はＭ点）から見る場合には、映像がより暗いため、映像の明るさに差がある。
【発明の概要】
【発明が解決しようとする課題】
【００１０】
本発明の主な目的は、出力端面が、光ファイバーの軸方向に垂直するように切断されて構成され、複数の光ファイバーの断面が正円形または正多辺形を呈し、入力端面が、光ファイバーの軸方向に傾斜するように切断されて構成され、複数の光ファイバーの断面が非正円形または非正多辺形を呈することにより、正面または側面から見ても映像の明るさが一定である映像補償機能付き光ファイバーを提供することにある。
【課題を解決するための手段】
【００１１】
本発明の映像補償機能付き光ファイバーによると、複数の光ファイバーを同じ方向に配列して結合される光学部材を備え、これらの光ファイバーは、それぞれコアと、皮とから構成され、コアの屈折率は１.５５〜１.９１であり、皮の屈折率は１.３９〜１.５３であり、これらの光ファイバーの出光開口角度は１１.５°より大きく、光学部材の断面は、出力端面と、入力端面と、側隣接面と、から構成され、
出力端面は、これらの光ファイバーの一端の断面を集結して形成され、断面の形状は、それぞれ正円形または正多辺形を呈し、出力端面の断面は外力を受けないため、断面の密度は同じであり、
入力端面は、これらの光ファイバーの他端の断面を集結して形成され、断面の形状は、出力端面のこれらの光ファイバーの断面の形状に対応し、入力端面は、外力を受けるため、その断面の密度が側隣接面へ連続的に減少し、そして斜めに切られることにより、断面の形状は非正円形または非正多辺形を呈し、入力端面を構成するこれらの光ファイバーのベベル断面角は、側隣接面へ連続的に減少し、上記角度は、１°〜６５°であり、３°〜５５°であることが好ましく、
側隣接面は、これらの光ファイバーと同じ方向に伸び、側隣接面と入力端面との成す角は鈍角であり、側隣接面と出力端面との成す角は第１鋭角であり、入力端面と出力端面との成す角は第２鋭角であり、第１鋭角は、５°〜８５°であり、８°〜７５°であることが好ましく、第２鋭角は、１°〜５０°であり、３°〜３５°であることが好ましいことを特徴とする。
【００１２】
本発明の映像補償機能付き光ファイバーによると、二つの光学部材は、二つの表示装置の結び箇所に対称に設けられており、何れかの一つの光学部材は、三角ロッドに近似する形状に切られ、出力端面と、入力端面と、側隣接面と、上記三つの面に当接する二つの当接面とから構成され、側隣接面の入力端面に近づくエッジには、フレームを受け可能な当接段が設けられていることを特徴とする。
【００１３】
本発明の映像補償機能付き光ファイバーによると、光ファイバーが外力を受けた後、異なる形態を有する、第１光ファイバーと、第２光ファイバーとが形成され、第１光ファイバーと第２光ファイバーとは、出光端部と、入光端部と、をそれぞれ有し、複数の出光端部は出力端面を構成し、複数の入光端部は入力端面を構成し、入力端面を構成するこれらの光ファイバーの断面は、側隣接面に近づくほど、その面積が連続的に減少し、第１光ファイバーの出光端部と入光端部との径方向の断面比は、第２光ファイバーの出光端部と入光端部との径方向の断面比と同じ、又はより大きく、第１光ファイバーの径方向の断面比の最小値は１に近接することを特徴とする。
【発明の効果】
【００１４】
本発明の映像補償機能付き光ファイバーによれば、出力端面が、光ファイバーの軸方向に垂直するように切断されて構成され、複数の光ファイバーの断面が正円形または正多辺形を呈し、入力端面が、光ファイバーの軸方向に傾斜するように切断されて構成され、複数の光ファイバーの断面が非正円形または非正多辺形を呈することにより、正面または側面から見ても映像の明るさが一定であるという効果を有する。
【図面の簡単な説明】
【００１５】
【図１】本発明の実施の形態に係る映像補償機能付き光ファイバーを示す斜視図である。
【図２】本発明に係る光学部材を作製する動作のプロセスを示す図（一）である。
【図３】本発明に係る光学部材を作製する動作のプロセスを示す図（二）である。
【図４】本発明に係る光学部材を作製する動作のプロセスを示す図（三）である。
【図５】本発明に係る光学部材を示す拡大図である。
【図６】本発明に係る光学部材の径方向の断面を示す図である。
【図７】本発明の側隣接面に近づく光ファイバーの径方向の断面及び出光端部（Ｓ１）と入光端部（Ｓ２）との長さを示す図である。
【図８】本発明の側隣接面から離れた光ファイバーの径方向の断面を示す図である。
【図９】本発明に係る映像補償機能付き光ファイバーを、フレームがスクリーンと同じなフラット表示装置に適用する実施形態を示す図である。
【図１０】図９における第１光ファイバーの導光方向を示す図である。
【図１１】図９における第２光ファイバーの導光方向を示す図である。
【図１２】本発明に係る映像補償機能付き光ファイバーを、フレームがスクリーンより高いフラット表示装置に適用する実施形態を示す図である。
【図１３】従来の光学部材を作製する動作のプロセスを示す図（一）である。
【図１４】従来の光学部材を作製する動作のプロセスを示す図（二）である。
【図１５】従来の光学部材を示す拡大図である。
【図１６】従来の光ファイバーの導光方向を示す図である。
【図１７】図１６における光ファイバーの具体的な適用である第１の実施形態を示す図である。
【図１８】別の従来の光ファイバーの具体的な適用である第２の実施形態を示す図である。
【図１９】図１８の拡大図である。
【図２０】図１８の断面図である。
【図２１】図２０における第１光ファイバーの断面図である。
【図２２】図２０における第２光ファイバーの断面図である。
【図２３】更に別の従来の光ファイバーの具体的な適用である第３の実施形態を示す図である。
【図２４】図２３における光ファイバーの一部を示す拡大図である。
【発明を実施するための形態】
【００１６】
以下、本発明の実施の形態を図面に基づいて説明する。
【００１７】
図１を参照する。二つの表示装置４０を近接するように置いて形成されるフレームジャンクション４２は、映像の有効区ではない。換言すると、映像がこれらの表示装置４０を跨ると、断層が発生する。このため、フレームジャンクション４２の表面に、本発明に係る二つの光学部材１０を設け、すなわち、これらの光学部材１０を左右に対称するようにフレームジャンクション４２を覆うと、これらの表示装置４０の映像は、これらの光学部材１０に屈折されて、フレームジャンクション４２に表示するため、映像が連続な画面となる。
【００１８】
図２から図４は、本発明に係る光学部材１０の作製方式の一つを示す図である。まず、図２に示すように、複数の光ファイバー１１を同じ方向に配列して束を形成すると光学部材１０が形成される。次に、光学部材１０の一側の表面に力を加えて、光学部材１０が他側へ凹むようになる。そして、凹んだ箇所にある光学部材１０を切断して、凹んだ長形のブロックが形成される。図３に示すように、縦方向の中心線に沿って前記ブロックを底端まで切断すると、径方向の断面が台形に近似する二つのブロックが形成される。図４に示すように、三角形ロッド４４を取り除くと、光学部材１０は三角ロッド状に近似する。
【００１９】
図４から図６を参照する。光学部材１０の断面は、出力端面１２と、入力端面１４と、側隣接面１６と、上記の三つの面（出力端面１２、入力端面１４及び側隣接面１６）に当接する二つの当接面１８とから構成される三角ロッドである。
【００２０】
図６を参照する。束である光学部材１０は、複数の光ファイバー１１を同じ方向に配列して構成される。これらの光ファイバー１１の出光開口角度（又は数値穴径と称し）は１１.５°より大きい。出力端面１２は、これらの光ファイバー１１の一端の断面を集結して構成される。前記断面は、光ファイバー１１の軸方向に垂直するように切断することにより、それぞれ正円形または正多辺形を呈する。出力端面１２の断面は、作製時に外力を受けないため、その断面の密度は同じである。入力端面１４は、これらの光ファイバー１１の他端の断面を集結して構成される。前記断面は、出力端面１２のこれらの光ファイバー１１の断面形状に対応する。入力端面１４は、作製時に外力を受けて断面の密度が影響されて、入力端面１４の断面の密度は、側隣接面１６へ連続的に減少し、そして斜めに切られることにより、その断面は非正円形または非正多辺形を呈する。例えば、出力端面１２のこれらの光ファイバー１１の断面は正円形を呈する場合には、入力端面１４のこれらの光ファイバー１１が外力を受けるため、その断面は非正円形（楕円形に近似し）を呈する。次に、側隣接面１６とこれらの光ファイバー１１とは、同じ方向に伸びる。側隣接面１６と入力端面１４との成す角は鈍角である。側隣接面１６と出力端面１２との成す角は第１鋭角１９１である。第１鋭角１９１は、５°〜８５°であり、８°〜７５°であることが好ましい。入力端面１４と出力端面１２との成す角は第２鋭角１９２である。第２鋭角１９２は、１°〜５０°であり、３°〜３５°であることが好ましい。
【００２１】
出力端面１２のこれらの光ファイバー１１の断面は正多辺形を呈してもよい。そうすると、入力端面１４のこれらの光ファイバー１１の断面は、出力端面１２の断面に対応する非正多辺形を呈する。例えば、出力端面１２のこれらの光ファイバー１１の断面は正方形を呈する場合には、入力端面１４のこれらの光ファイバー１１の断面は非正方形（その他の四辺形を呈する可能性があり）を呈する。
【００２２】
入力端面１４のこれらの光ファイバー１１の断面は、側隣接面１６に近づくほど、これらの光ファイバー１１の断面積が連続的に減少する。
【００２３】
図６から図８は、光ファイバー１１が押えられた後の全体の形態及び斜めに切られた端部の断面の角度を示す図である。光ファイバー１１が押えられた後、力を受ける形態が異なる、第１光ファイバー１１０１と、第２光ファイバー１１０２とが形成される。第１光ファイバー１１０１の断面角度はα°であり、第２光ファイバー１１０２の断面角度はβ°である。上記の断面角度α°及びβ°は、入力端面１４の斜めに切られた断面の角度であり、側隣接面１６へ連続的に減少し、１°〜６５°であり、３°〜５５°であることが好ましい。断面角度α°は、断面角度β°と同じ、又は断面角度β°より小さい。
【００２４】
図６及び図７を参照する。これらの第１光ファイバー１１０１は、出光端部１１１１と、入光端部１１１２と、をそれぞれ有する。複数の出光端部１１１１は出力端面１２を構成する。複数の入光端部１１１２は入力端面１４を構成する。これらの第１光ファイバー１１０１は、光学部材１０において側隣接面１６に近接する箇所に位置する。側隣接面１６が力を直接に受けるため、側隣接面１６に近づくこれらの第１光ファイバー１１０１も力を受けて、変形されて断面の密度が変化する。これらの第１光ファイバー１１０１は、一端部が出力端面１２の径方向断面の最長距離Ｓ１（出光端部１１１１に位置し）を構成し、他端部が入力端面１４の径方向断面の最長距離Ｓ２（入光端部１１１２に位置し）を構成する。最長距離Ｓ１は、最長距離Ｓ２より長く、又は最長距離Ｓ２と同じである。第１光ファイバー１１０１の径方向断面の比は、Ｓ１/Ｓ２であり、最も小さい場合には１に近接する。
【００２５】
次に、図６及び図８を参照する。第２光ファイバー１１０２も、出光端部１１１１と、入光端部１１１２と、を有する。第２光ファイバー１１０２は、側隣接面１６との距離がより大きいため、押さえられることによる影響がより小さく、変形が殆ど発生しない。出光端部１１１１と入光端部１１１２との径方向断面の距離は同じ、且つ出光端部１１１１と入光端部１１１２との断面比は１である。
【００２６】
図７及び図８を参照して、第１光ファイバー１１０１と第２光ファイバー１１０２との径方向断面を比較する。第１光ファイバー１１０１の出光端部１１１１と入光端部１１１２との径方向断面の比Ｓ１/Ｓ２は、第２光ファイバー１１０２の出光端部１１１１と入光端部１１１２との径方向断面の比より大きく、又は第２光ファイバー１１０２の出光端部１１１１と入光端部１１１２との径方向断面の比と同じである。第１光ファイバー１１０１と第２光ファイバー１１０２とは、コア１１２と、皮１１４とから構成される。コア１１２の屈折率は、皮１１４の屈折率より大きい。コア１１２の屈折率は１.５５〜１.９１であり、皮１１４の屈折率は１.３９〜１.５３である。
【００２７】
図９は本発明の具体的な実施形態を示す図である。二つの表示装置４０を接するときには、フレームジャンクション４２が映像の非有効区であり、これらの表示装置４０からの映像は、フレームジャンクション４２において、著しい断層が発生する。このため、各表示装置４０の表面のフレームジャンクション４２に近づく箇所に、これらの光学部材１０を対称に設けて、各入力端面１４を、それに対応する表示装置４０に平行に貼り付けて、各出力端面１２を上へ傾斜するように対称に設ける。そして各出力端面１２の上部の先端が互いに接する位置は、フレームジャンクション４２の真上に位置する。
【００２８】
次に、図５及び図９を参照する。映像がこれらの表示装置４０から射出されるときには、映像が入力端面１４に進入して出力端面１２から射出する。このとき、これらの光学部材１０に屈折される映像は伸びてフレームジャンクション４２の上方に映す。これにより、映像は連続な画面となる。そして出力端面１２を構成するこれらの光ファイバー１１の断面は、光ファイバー１１の軸方向に垂直するように切断されるため、射出される光線は、これらの光ファイバー１１の軸方向に沿って直線的に進む。これにより、ユーザは、Ａ点（左方から斜め右方向へ表示装置４０を見る場合には、Ａ点が表示装置４０の左方に位置し）、Ｂ点（右方から斜め左方向へ表示装置４０を見る場合には、Ｂ点が表示装置４０の左方に位置し）、Ｃ点（Ｃ点は表示装置４０の正面に位置し）、Ｄ点（左方から斜め右方向へ表示装置４０を見る場合には、Ｄ点が表示装置４０の右方に位置し）、又はＥ点（右方から斜め左方向へ表示装置４０を見る場合には、Ｅ点が表示装置４０の右方に位置し）から見ても、画面の映像は、予定の明るさを得ることが可能であり、断層を発生しない。
【００２９】
図１０及び図１１は、図９の一部の構造を示す拡大図であり、第１光ファイバー１１０１または第２光ファイバー１１０２に光線を入射した後の進む方向を示す。光線は、第１光ファイバー１１０１または第２光ファイバー１１０２に入射した後、第１光ファイバー１１０１または第２光ファイバー１１０２に沿って進む。第１光ファイバー１１０１と第２光ファイバー１１０２との出光端の断面は正円形を呈するため、射出される光線は、第１光ファイバー１１０１または第２光ファイバー１１０２に示す出光開口角度（又は数値穴径と称し）に沿って進む。上記の出光開口角度θ°は１１.５°より大きい。換言すると、第１光ファイバー１１０１と第２光ファイバー１１０２との出光端面は、正円形または正多辺形を呈するため、射出される光線は出光の端面にガイドされて進む。
【００３０】
図１２は、これらの光学部材１０が設けられている具体的な別の実施形態を示す図である。本発明に係る光学部材１０の側隣接面１６の出力端面１２に近づくエッジには、フレーム４５１を受け可能な当接段１７が設けられている。これは、フレーム４５１が映像表示構造４５２より高い複数の表示装置４５に適用され可能である。
【符号の説明】
【００３１】
１０  光学部材
１１  光ファイバー
１２  出力端面
１４  入力端面
１６  側隣接面
１７  当接段
１８  当接面
４０  表示装置
４２  フレームジャンクション
４４  三角形ロッド
４５  表示装置
５０  光学部材
５１  出力端面
５２  入力端面
５３  側隣接面
６０  表示装置
７０  光学部材
７１  端辺
７２  樹脂支持構造
８０  表示装置
９０  光学部材
９１  斜辺
９２  光ファイバー
１１２  コア
１１４  皮
１９１  第１鋭角
１９２  第２鋭角
４５１  フレーム
４５２  映像表示構造
５０１  光ファイバー
７０１  第１光ファイバー
７０２  第２光ファイバー
１１０１  第１光ファイバー
１１０２  第２光ファイバー
１１１１  出光端部
１１１２  入光端部
Ｄ１  径方向長さ
Ｄ２  径方向長さ
Ｓ１  最長距離
Ｓ２  最長距離
【図１】
2019139136.tif 000003
【図２】
2019139136.tif 000004
【図３】
2019139136.tif 000005
【図４】
2019139136.tif 000006
【図５】
2019139136.tif 000007
【図６】
2019139136.tif 000008
【図７】
2019139136.tif 000009
【図８】
2019139136.tif 000010
【図９】
2019139136.tif 000011
【図１０】
2019139136.tif 000012
【図１１】
2019139136.tif 000013
【図１２】
2019139136.tif 000014
【図１３】
2019139136.tif 000015
【図１４】
2019139136.tif 000016
【図１５】
2019139136.tif 000017
【図１６】
2019139136.tif 000018
【図１７】
2019139136.tif 000019
【図１８】
2019139136.tif 000020
【図１９】
2019139136.tif 000021
【図２０】
2019139136.tif 000022
【図２１】
2019139136.tif 000023
【図２２】
2019139136.tif 000024
【図２３】
2019139136.tif 000025
【図２４】
2019139136.tif 000026